(57)【要約】【課題】除湿後の有機物に起因した配管の詰まり、メンブレンフィルタの目詰まりを防ぎ、有機物の吸光セルへの付着による水銀濃度の測定値の誤差を低減可能な排ガス中の水銀分析装置を提供する。【解決手段】水銀分析装置１０において、気液分離された排ガスを除湿路１８ａに通して冷却するとき、除湿路１８ａに充填されたアルミナボール５０の表面に排ガス中の有機物が付着し、これが除去される。その結果、除湿後の有機物に起因した配管１４，１４Ａ，３１の詰まり、メンブレンフィルタ２０の目詰まりを防止できる。しかも、有機物の吸光セル２１への付着を原因とした水銀濃度の測定値の誤差を低減できる。【選択図】図１
2010237111.tif 000002
【特許請求の範囲】
【請求項１】
有機物を含む排ガス中の二価水銀化合物を、分解充填剤により金属水銀に分解する分解反応器と、
該分解反応器により分解された排ガスを気液分離路に通して気液分離する気液分離器と、
該気液分離器により気液分離された排ガスを冷却しながら通過させることで該排ガス中の水分を除去する除湿路を有し、該除湿路に前記排ガス中の有機物を付着させる有機物付着材が充填された除湿・有機物除去部と、
該除湿・有機物除去部により除湿および前記有機物が除去された排ガス中の水銀の濃度を測定する原子吸光分析用の吸光セルとを備えた排ガス中の水銀分析装置。
【請求項２】
前記有機物付着材は、セラミックスボールである請求項１に記載の排ガス中の水銀分析装置。
【請求項３】
前記分解反応器内の温度は、排ガス中の有機物の気化温度以上である請求項１または請求項２に記載の排ガス中の水銀分析装置。
【発明の詳細な説明】
【技術分野】
【０００１】
この発明は排ガス中の水銀分析装置、詳しくはごみ焼却場やセメント製造設備などからの排ガス中に含まれる水銀の濃度を連続的に測定、監視可能な排ガス中の水銀分析装置に関する。
【背景技術】
【０００２】
近年、ごみ焼却設備やセメント製造設備からの排ガス中の微量元素に対する関心が高まっている。その中でも水銀は、揮発性および毒性が共に高いことから、ＥＵおよび米国では排出規制（Ｄｉｒｅｃｔｉｖｅ２０００／７６／ＥＣ：５０μｇ／ｍ３）が実施されている。日本においても、平成１５年９月、水銀の環境基準の指針値（年平均０．０４μｇ／ｍ３以下）が出され、早晩、水銀の排出基準が制定されるものと推測される。
金属水銀の沸点は約３６０℃である。そのため、例えばロータリーキルンなどのごみ焼却場やセメント製造設備の燃焼系に投入された水銀はその大半がここで気化し、燃焼ガスとともに煙道を通って煙突から大気開放されてしまう。従って、水銀の排出規制が実施されれば、セメント原料の調達、および、ロータリーキルンなどに系外から投入され焼却されている産業廃棄物の選択に対して、制約が発生することは必至である。
【０００３】
排ガス中の水銀の測定装置としては、従来、例えば非特許文献１に記載された水銀連続測定装置が知られている。次に、図２を参照して、非特許文献１の水銀連続測定装置を具体的に説明する。
図２に示すように、水銀連続測定装置１００によれば、吸引ポンプ１０１の吸引力により、まず水銀や有機物などを含む排ガスが、第１の排ガス流通管Ａ１が配管されたプローブユニット１０２に導入される。プローブユニット１０２では、ダストフィルタ１０３により排ガス中のダストが除去される。その後、排ガスは分解反応器１０４へ導入される。ここでは排ガス中の水銀が約２００℃の雰囲気で分解充填剤１０４ａと接触し、二価水銀化合物が金属水銀に分解される。次いで、排ガスは気液分離器１０５の気液分離路１０５ａを通過中に気液分離され、さらに除湿・有機物除去部１０６により２℃程度に冷却され、排ガス中の水分が除去される。次に、排ガスは第１のメンブレンフィルタ１０７を透過し、略完全に湿気が取り除かれた後、連通管１２０を通って、プローブユニット１０２から洗気ユニット１０８へと導かれる。
【０００４】
洗気ユニット１０８では、排ガスが水酸化カリウム溶液に接触して、排ガス中のＳＯｘが除去される。その後、排ガスは第２の排ガス流通管Ａ２を経由して水銀濃度を測定する測定部１０９へと導出される。
測定部１０９では、まず第２のメンブレンフィルタ１１０を透過することで水酸化カリウム溶液のミストが取り除かれる。次に、排ガスは水銀濃度を測定する原子吸光分析器１１１の吸光セル１１２に供給される。原子吸光分析器１１１では、この排ガスに光（水銀ランプ１１３などの紫外線領域の光線）を照射し、その透過光を光電管により受光することで、金属水銀の特定波長（２５４ｎｍ）の光の吸収量を連続的に検出し、排ガスに含まれる金属水銀の濃度が求められる。
【０００５】
図２中の１１４は、原子吸光分析時の測定値から排ガス中の水銀濃度を得る際に利用される検量線を求めるため、１日に１回程度、分解反応器１０４へ金属水銀を含むキャリアガスを供給する水銀標準ガス発生器である。１１５は、測定部１０９に収納された第２の排ガス流通管Ａ２のうち、第２のメンブレンフィルタ１１０と吸光セル１１１との間の部分に連通されたバイパス管、１１６はバイパス管１１５の下流部と第２の排ガス流通管Ａ２との連通部分に設けられた流路切換弁、１１７はバイパス管１１５の途中に設けられ、かつ活性炭１１７ａが内蔵された水銀除去器、１１８は流量コントローラである。
【先行技術文献】
【非特許文献】
【０００６】
【非特許文献１】日本インスツルメント社水銀濃度測定装置カタログ
【発明の概要】
【発明が解決しようとする課題】
【０００７】
しかしながら、非特許文献１の水銀連続測定装置１００では、次の欠点があった。
すなわち、（１）水銀連続測定装置１００には、排ガス中の有機物を専ら除去するものが存在せず、例えば洗気ユニット１０８のを通過中に、有機物の一部が水酸化カリウム溶液に溶けて除去される程度であった。そのため、排ガス中に残った有機物により、例えば各配管Ａ１，Ａ２，１２０の流路が詰まったり、両メンブレンフィルタ１０７，１１０の膜フィルタが目詰まりしたり、吸光セル１１２の内周面を汚して測定誤差が発生していた。
（２）排ガス中の二価水銀化合物を分解するとき、分解反応器１０４内の温度は２００℃程度で、ある種の有機物が気化する温度より低かった。そのため、分解充填剤１０４ａの表面に排ガス中の有機物が付着し易く、分解充填剤１０４ａの分解機能が低下していた。
【０００８】
この発明は、排ガスの除湿後における有機物に起因した配管の詰まり、メンブレンフィルタの目詰まりを防止できるとともに、有機物の吸光セル内面への付着による水銀濃度の測定値の誤差を低減することができる排ガス中の水銀分析装置を提供することを目的としている。
この発明は、有機物の分解充填剤表面への付着を防止し、この有機物の付着による分解充填剤の機能低下を防止することができる排ガス中の水銀分析装置を提供することを目的としている。
【課題を解決するための手段】
【０００９】
請求項１に記載の発明は、有機物を含む排ガス中の二価水銀化合物を、分解充填剤により金属水銀に分解する分解反応器と、該分解反応器により分解された排ガスを気液分離路に通して気液分離する気液分離器と、該気液分離器により気液分離された排ガスを冷却しながら通過させることで該排ガス中の水分を除去する除湿路を有し、該除湿路に前記排ガス中の有機物を付着させる有機物付着材が充填された除湿・有機物除去部と、該除湿・有機物除去部により除湿および前記有機物が除去された排ガス中の水銀の濃度を測定する原子吸光分析用の吸光セルとを備えた排ガス中の水銀分析装置である。
【００１０】
請求項１に記載の発明によれば、気液分離器により気液分離された排ガスを除湿・有機物除去部の除湿路に通しながら冷却する。これにより、排ガス中の水分が凝縮して除去される。しかも、排ガス中の有機物は、除湿路に充填された有機物付着材の表面に付着して除去される。その結果、除湿・有機物除去工程後において、有機物に起因した配管の詰まり、メンブレンフィルタの目詰まりを防止できるとともに、有機物の吸光セル内面への付着による水銀濃度の測定値の誤差を低減することができる。
【００１１】
有機物としては、例えば鎖式炭化水素から多環芳香族炭化水素などである。
排ガスとしては、例えばセメント製造設備からの排ガス、ごみ焼却場からのそれである。
分解充填剤としては、例えば活性炭、錫などを採用することができる。
分解充填剤の形状としては、例えば粉形状、粒形状、塊形状、繊維形状などを採用することができる。
分解反応器内の温度は任意である。例えば、２００℃程度でもよいし、それ以上でもよい。
除湿路内の温度は、気液分離された排ガスに含まれた水分を液化可能な温度であれば任意である。例えば２℃程度である。冷却方法としては、例えば空冷、水冷などを採用することができる。その他、ペルチェ素子（ペルチェ効果を有する熱電変換素子）を使用して冷却する電子クーラによる冷却でもよい。
【００１２】
有機物付着材とは、除湿・有機物除去時において、接触した排ガス中の有機物を表面に付着させ、排ガス中から有機物を除去する部材（物体）である。
有機物付着材の素材としては、例えば耐熱金属、耐熱セラミックス、耐熱プラスチックなどを採用することができる。
有機物付着材の形状は任意である。例えば、各種のブロック形状（例えば球、立方体、直方体、円錐、角錐）、板形状などが挙げられる。
【００１３】
請求項２に記載の発明は、前記有機物付着材は、セラミックスボールである請求項１に記載の排ガス中の水銀分析装置である。
【００１４】
請求項２に記載の発明によれば、セラミックスボールは、耐熱性があり、排ガス中の酸性ガスによる腐食もなく、さらに、付着した有機物の除去が容易で再利用が可能であるため、除湿路に充填される有機物付着材として好適である。
【００１５】
セラミックスボールの素材としては、アルミナ（Ａｌ２Ｏ３）の他、ジルコニア（ＺｒＯ２）などを採用することができる。特に、アルミナは、安価で、耐摩耗性に優れており、半永久的に使用できるため好適である。
セラミックスボールは、例えば、セラミックスの塊を球状に加工して作製されたものでもよいし、セラミックスの粒体を焼成し、その後、これを球状に付形したものでもよい。
セラミックスボールの直径は１〜５ｍｍである。１ｍｍ未満では、有機物が全面に付着した場合に通気性が悪くなる。また、５ｍｍを超えると、効率の問題から、除湿路を大きく、または長くしなければならない。セラミックスボールの好ましい直径は２〜４ｍｍ程度である。この範囲であれば、前記の不都合は生じない。
【００１６】
請求項３に記載の発明は、前記分解反応器内の温度は、排ガス中の有機物の気化温度以上である請求項１または請求項２に記載の排ガス中の水銀分析装置である。
【００１７】
請求項３に記載の発明によれば、分解反応器内の温度が有機物の気化温度より高いので、分解反応器に排ガスが供給されると、排ガス中の有機物は気化する。そのため、排ガス中の二価水銀化合物を金属水銀に分解する際、分解充填剤の表面に排ガス中の有機物が付着し難い。その結果、この有機物の付着による分解充填剤の機能低下を防止することができる。
【００１８】
有機物の気化とは、有機物が固相（液相）から気相に転移することで、蒸発または昇華
と、沸騰の場合がある。
有機物の気化温度以上とは、例えば４００℃以上をいう。
有機物の気化温度以上でも分解作用が得られる分解充填剤としては、例えば特開昭６３−２０１５５２号公報に記載された「活性炭と酸化カルシウムとの混合物」を使用することができる。
【発明の効果】
【００１９】
請求項１に記載の発明によれば、気液分離後の排ガスを除湿路に通して冷却するとき、除湿路に充填された有機物付着材の表面に、排ガス中の有機物を付着して除去する。その結果、除湿・有機物除去工程後における有機物に起因した配管の詰まり、メンブレンフィルタの目詰まりを防止することができる。しかも、有機物の吸光セル内面への付着を原因とした水銀濃度の測定値の誤差も低減することができる。
【００２０】
特に、請求項２に記載の発明によれば、有機物付着材としてセラミックスボールを採用したため、耐久性があり、長時間の使用が可能で、さらに、付着した有機物の除去・回収が容易である。
【００２１】
また、請求項３に記載の発明によれば、分解反応器内の温度を有機物の気化温度より高くしたため、排ガス中の二価水銀化合物を金属水銀に分解する際、分解充填剤の表面に排ガス中の有機物が付着し難い。その結果、この有機物の付着による分解充填剤の機能低下を防止することができる。
【図面の簡単な説明】
【００２２】
【図１】この発明の実施例１に係る排ガス中の水銀分析装置の全体構成図である。
【図２】従来手段に係る排ガス中の水銀分析装置の全体構成図である。
【発明を実施するための形態】
【００２３】
以下、この発明の実施例を具体的に説明する。ここでは、セメント製造設備の煙道の途中に設けられた電気集塵機からの排ガスに含まれる水銀の濃度を測定するものを例とする。
【実施例１】
【００２４】
図１において、１０はこの発明の実施例１に係る排ガス中の水銀分析装置で、この排ガス中の水銀分析装置１０は、セメント製造設備の煙道の途中に設けられた電気集塵機からの排ガスが導入され、排ガスに水銀濃度測定の前処理を施すプローブユニット１１と、プローブユニット１１から導出された排ガス中の水銀濃度を測定する測定部１２とを備えている。
プローブユニット１１は、外装用の大型ケーシング１３内に配管された第１の排ガス流通管１４の上流から下流へ向かって順に、電気集塵機からの排ガスに含まれたダストを除去するダストフィルタ１５と、有機物を含む排ガスをこの有機物の気化温度以上に加熱しながら、分解充填剤１６ｂにより排ガス中の二価水銀化合物を金属水銀に分解する分解反応器１６と、分解反応器１６により分解された排ガスを気液分離路１７ａに通して気液分離する気液分離器１７と、気液分離器１７により気液分離された排ガスを除湿路１８ａを通しながら冷却し、かつそのガス中の湿気を除去するとともに、除湿路１８ａに充填されたアルミナボール（有機物付着材）５０に排ガス中の有機物を付着させて除去する除湿・有機物除去部１８と、気液分離路１７ａおよび除湿路１８ａを所定時間ごとに水洗する水洗手段１９と、除湿・有機物除去部１８により除湿された排ガスを濾過し、排ガス中の水分を略完全に除去するメンブレンフィルタ２０とが順次配設されている。
【００２５】
ダストフィルタ１５は、カプセル形状のケーシング１５ａ内に、フィルタ材１５ｂを収納したものである。
分解反応器１６は、カプセル形状のケーシング１６ａ内に、４００℃の高温でもその分解作用が低下しない分解充填剤１６ｂ、例えば特開昭６３−２０１５５２号公報に記載されている「活性炭と酸化カルシウムとの混合物」を充填している。
気液分離器１７は、Ｕ字形状に屈曲した気液分離管１７ｂを本体とし、その上流部に水洗手段（蒸留水タンク１９）から供給された蒸留水（洗浄水）の流入管１９ａが連通されている。また、この気液分離管１７ｂの材質は、有機分が付着しにくいテフロン（登録商標）に変更されている。
水洗手段は、１時間に１回、蒸留水タンク１９に貯液された蒸留水を、図示していない排水ポンプによって吸い込んで流入管１９ａへ圧送する。気液分離管１７ｂのＵ字の屈曲部には、使用済みの蒸留水を管外へ排出する横向きの短尺なドレン管１７ｃが連通されている。気液分離管１７ｂの管内の空間が、気液分離路１７ａを構成している。
【００２６】
除湿・有機物除去部１８は電子クーラの断熱を兼ねたケーシング１８ｂを本体とし、その内部空間には略Ｖ字形状を有した除湿管１８ｃが内蔵されている。除湿管１８ｃのＶ字形状の屈曲部には、使用済みの蒸留水が排出される下向きの短尺なドレン管１８ｅが連通されている。また、除湿管１８ｃには、直径３ｍｍのアルミナボール（有機物付着材）５０が多数充填されている。除湿・有機物除去部１８に送られた排気ガスは、ここでガス中の水分が冷やされて除湿されるとともに、除湿路１８ａに充填された多数のアルミナボール５０の表面に排ガス中の有機物が付着する。凝縮した水分およびアルミナボール５０に付着した液状の有機物は、ドレン管１８ｅから外部に排出される。両ドレン管１７ｃ，１８ｅには開閉弁が配設されている。
メンブレンフィルタ２０は、軸線方向が垂直な縦向きの円盤形状のケーシング内に、多数の微細孔を有する例えばニトロセルロースなどの膜フィルタ２０ａが展張されたものである。
【００２７】
次に、測定部１２を詳細に説明する。
測定部１２は、別の外装用の大型ケーシング１３Ａ内に配管された第２の排ガス流通管１４Ａの上流から下流へ向かって順に、フィルタリングされた排ガス中の水銀濃度を測定する原子吸光分析用の吸光セル２１と、流量コントローラ２２と、排ガス中の水銀分析装置全体における排ガスの吸引ポンプ２３と、所定時間が経過する毎に、吸光セル２１による水銀濃度０値の調整を行うゼロ調整手段２４と、原子吸光分析時の測定値から排ガス中の水銀濃度を得る際に利用する検量線を求めるため、所定時間毎に、金属水銀を含むキャリアガスを所定量だけ分解反応器１６に供給する水銀標準ガス発生器２５とを備えている。
【００２８】
第２の排ガス流通管１４Ａは、外配置された連通管３１により第１の排ガス流通管１４と連通されている。
ゼロ調整手段２４は、第２の排ガス流通管１４Ａのうち、吸光セル２１の取り付け位置より上流部に設けられたバイパス管２６と、バイパス管２６の下流部と第２の排ガス流通管１４Ａとの連通部分に配された流路切換弁２７と、バイパス管２６の途中部に設けられ、吸光セル２１に導入される直前の排ガスをバイパス管２６を通して導き、排ガスを金と接触させることで、排ガス中の水銀を金アマルガムとして除去する水銀除去器２８とを有している。
【００２９】
吸光セル２１は、原子吸光分析器２９における実際の測定部１２である。原子吸光分析器２９では、吸光セル２１に常時供給された排ガスに、水銀ランプ３０からの紫外線領域の光線を照射し、その透過光を光電管により受光する。これにより、金属水銀の特定波長（２５４ｎｍ）の光の吸収量を連続的に検出し、排ガスに含まれる金属水銀の濃度が求られる。
水銀標準ガス発生器２５は、原子吸光分析時の測定値から排ガス中の水銀濃度を得る際に利用される検量線を求めるため、例えば１日に１回、ダストフィルタ１５へ例えば６０μｇ／ｍ３の金属水銀を含むキャリアガス（空気）を所定量だけ供給する機器である。
【００３０】
次に、この発明の実施例１に係る排ガス中の水銀分析装置１０を用いた排ガス中の水銀分析方法を説明する。以下の一連の動作は、水銀分析装置１０の図示しない制御装置の制御により実行される。
まず、セメント製造設備の電気集塵機からの排ガスが、吸引ポンプ２３の吸引力によりプローブユニット１１のダストフィルタ１５に導入され、ここで排ガス中のダストが除去される。ダストが除去された排ガスは分解反応器１６に送られ、ここで、４００℃の高温雰囲気に晒された分解充填剤１６ａにより、排ガス中の二価水銀化合物が金属水銀に分解される。このとき、分解反応器１６内の温度は、多環芳香族炭化水素類の気化温度を超える４００℃としたので、分解反応器１６内の有機物はガス化し、粒子状の分解充填剤１６ａの表面に付着し難い。その結果、この有機物の付着による分解充填剤１６ａの機能低下を防止することができる。
【００３１】
分解後の排ガスは、気液分離器１７の気液分離路１７ａに通され、ここで気液分離される。液分は前記ドレン管１８ｅを通して外部に排出される。一方、ガス分は除湿・有機物除去部１８へ送られる。除湿・有機物除去部１８では、２℃に冷却された除湿管１８ｃ内の除湿路１８ａを通過中に除湿される。このとき、排ガスに含まれた有機物が、除湿路１８ａに多数充填された低温（２℃程度）のアルミナボール５０と接触する。これにより、アルミナボール５０と有機物との間で熱交換が行われて冷やされ、液化（凝縮）した有機物がボール表面に付着して排ガスから除去される。こうして凝縮した水分、アルミナボールの表面に付着した一部の有機物は、ドレン管１８ｅを経て外部に排出される。
除湿かつ有機物が除去された排ガスは、メンブレンフィルタ２０に供給され、ここで膜フィルタ２０ａを透過することで、排ガス中の湿気（水分）が略完全に除去される。こうして前処理を終えた排ガスは、連通管３１を経てプローブユニット１１から測定部１２へ供給される。具体的には、この前処理後の排ガスは、吸光セル２１に常時供給される。吸光セル２１内では、排ガスに水銀ランプ３０からの紫外線領域の光線が照射される。その透過光は、光電管により受光される。これにより、金属水銀の特定波長（２５４ｎｍ）の光の吸収量が連続的に検出され、排ガスに含まれる金属水銀の濃度が求られる。
【００３２】
次に、原子吸光分析器２９における水銀濃度０値の調整方法を説明する。
まず、流路切換弁２７を操作し、吸光セル２１に導入される直前の排ガスをバイパス管２６へ導く。これにより、排ガスは水銀除去器２８内へ導入され、ここで排ガスは金と接触し、排ガス中の水銀が金アマルガムとして除去される。しかも、有機物はそのまま排ガス中に残る。
金属水銀のみが除かれた排ガスは、吸光セル２１に達し、ここで前述した吸光分析を行う。そのとき、金属水銀と同じ波長の光の強度を測定すれば、金属水銀の波長に重なる特定の有機物の光の強度が測定される。この測定値をゼロ調整用の調整値として求める。その後、制御装置において、その調整値に基づき、吸光セル２１による水銀濃度０値の調整を行う。具体的には、有機物の光の強度分だけ嵩上げされていた金属水銀の波長部分から、有機物の光の強度分を差し引く。このゼロ調整を行うことで、水銀除去器２８に活性炭を利用した従来技術の場合より長期間、有機物に起因した原子吸光分析器２９の水銀濃度０値のドリフト補正効果が得られる。
なお、例えば１日に１回は排ガスの供給を止め、水銀標準ガス発生器２５からダストフィルタ１５へ６０μｇ／ｍ３の金属水銀を含むキャリアガスを流し、原子吸光分析時の測定値から排ガス中の水銀濃度を得る際に利用される検量線の修正を行う。
【００３３】
以上説明したように、実施例１の排ガス中の水銀分析装置１０では、除湿・有機物除去部１８の除湿路１８ａに多数のアルミナボール５０を充填し、各ボール表面に排ガス中の有機物を付着させて除去するように構成したので、除湿・有機物除去工程後における有機物に起因した配管１４，１４Ａ，３１の詰まり、メンブレンフィルタ２０の目詰まりを防止できる。しかも、有機物の吸光セル２１内面への付着を原因とした水銀濃度の測定値の誤差を低減することができる。
しかも、有機物付着材としてアルミナボールを採用したので、耐久性があり、長時間の使用が可能で、さらに、付着した有機物の除去・回収が容易であるという効果が得られる。
【符号の説明】
【００３４】
１０  排ガス中の水銀分析装置、
１６  分解反応器、
１６ａ  分解充填剤、
１７  気液分離器、
１７ａ  気液分離路、
１８  除湿・有機物除去部、
１８ａ  除湿路、
２１  吸光セル、
２９  原子吸光分析器、
５０  アルミナボール（有機物付着材）。
【図１】
2010237111.tif 000003
【図２】
2010237111.tif 000004